(57)【要約】      （修正有）【課題】検索した項目の表示ボリュームが多い場合に、オートパワーオフ機能によって設定されている時間以上の表示時間を確保できる電子辞書装置を提供する。【解決手段】入力キー部１１と、データ格納部１２と、データ格納部１２からデータを呼び出すデータ検索部１４と、データ内容を表示モニタ部１５に対して出力する表示駆動部１６と、入力キー部１１の操作が一定時間ないときに、表示駆動部１６への給電を遮断する給電遮断部１７とを備える電子辞書装置を前提として、給電遮断部１７を介した回路オフ動作があった後も、表示駆動部１６への給電を一定時間継続させる給電継続部２１を設け、適宜箇所に設けた延長ボタンスイッチ２４を介して給電継続部２１を駆動制御する。ユーザが延長ボタンスイッチ２４を押圧操作したときは、給電遮断部１７による電源遮断後も表示時間を延長させることが出来るので、時間をかけて読み、書き写す等時間的余裕をもつ。【選択図】図１
0003197375.tif 000002
【実用新案登録請求の範囲】
【請求項１】
キャラクタの入力を受け付ける入力キー部と、
単語の意味内容を格納したデータ格納部と、
前記入力キー部から入力された検索キャラクタ列に基づき、前記データ格納部からデータを呼び出すデータ検索部と、
当該データ検索部を介して検索したメニュー項目、および選択したメニュー項目のデータ内容を表示モニタ部に対して出力する表示駆動部と、
前記入力キー部の操作が一定時間ないときに、前記表示駆動部への給電を遮断する給電遮断部とを備える電子辞書装置において、
前記給電遮断部を介した回路オフ動作があった後も、前記表示駆動部への給電を一定時間継続させる給電継続部を設け、
適宜箇所に設けた延長ボタンスイッチを介して当該給電継続部を駆動制御することを特徴とする電子辞書装置。
【請求項２】
延長ボタンスイッチは、押圧操作の度に延長時間の開始タイミングを初期化することを特徴とする請求項１記載の電子辞書装置。
【請求項３】
延長ボタンスイッチを介した給電継続部の駆動制御時間は、
入力キー部を介したメニュー操作によって増減変更可能とすることを特徴とする請求項１または請求項２記載の電子辞書装置。
【考案の詳細な説明】
【技術分野】
【０００１】
本考案は、単語の意味、或いは単語の意味内容を画像等を用いて表示する電子辞書装置に関する。
【背景技術】
【０００２】
図３に示すように、従来の電子辞書装置１は、キャラクタの入力を受け付ける入力キー部２と、単語の意味内容を格納したデータ格納部３と、入力キー部２から入力された検索キャラクタ列に基づき、データ格納部３からデータを呼び出すデータ検索部４と、データ検索部４を介して検索したメニュー項目、および選択したメニュー項目のデータ内容を表示モニタ部５に対して出力する表示駆動部６とを備える。
【０００３】
また、入力キー部２の操作が一定時間ないときに、表示駆動部６への給電を遮断する給電遮断部７を備える。
【０００４】
この給電遮断部（オートパワーオフ部）７は、入力キー部２を介した人為的な操作入力が一定時間ない場合に、表示モニタ部５の表示を自動オフすることによって、電子辞書装置１の搭載電池の消耗を避ける省エネ設計に基づく。
【０００５】
給電遮断部７は、入力キー部２の操作が一定時間ないとき、例えば、最後の入力キー部２の操作があってから１８０秒間、なにも入力キー部２の操作がないときに、表示モニタ部５への電源供給を遮断して、ユーザが意識的にスイッチオフをしなくても強制的に電源オフとする。表示モニタ部５の駆動が最も大きな電池の消耗なので、一定時間経過後に表示モニタ部５をオフすることによって、電池パワーの節約を図るわけである。
【０００６】
給電遮断部７は、入力キー部２のスイッチボタンが押圧されるたびにリセットされ時間経過を計測するタイマ装置（図示せず）と連動する。
【０００７】
タイマ装置を介した給電遮断部７の作動時間は、通常、入力キー部２を介したメニュー設定部を介して増減変更が可能である。
【０００８】
例えば、初期設定が１８０秒で給電遮断部７が作動する場合でも、設定変更操作により、それを例えば２４０秒に変更し、ユーザ自身が使いやすい使用環境に変更できる。
【０００９】
携帯電話装置等の各種の携帯情報機器において、一定時間なにも操作がされないときに電源をオフする機能（オートパワーオフ機能）の提案としては、例えば下記の特許文献１、２がある。
【先行技術文献】
【特許文献】
【００１０】
【特許文献１】特開２００３−０９９１６０号
【特許文献２】特開２００５−２７４９０３号
【考案の開示】
【考案が解決しようとする課題】
【００１１】
携帯情報機器は、電池の使用を前提とするので、一定時間なにも操作がないときに電源を遮断するオートパワーオフ機能は、無用な電源パワー（電池）の消耗を回避する点では優れている。
【００１２】
しかしながら、単語の意味を調べたり、言葉の意味内容を百科事典データ等に基づいて検索する電子辞書装置では、表示されたテキストを読むだけでも長い時間を要する場合が多い。
【００１３】
検索ワードの意味内容が表示モニタ部５に表示された後は、表示内容を読むだけで、次の項目検索などの操作を行わないことも少なくないので、表示内容を読んでいる最中、或いは表示内容を書き取っている最中に、オートパワーオフ機能によって表示が消えることが頻繁に生じる。その場合は、再び電源スイッチをオンにして、検索し直し、検索項目を再表示する等、煩雑な手間が必要となる。
【００１４】
オートパワーオフ機能のオフタイミングの時間は、従来の電子辞書装置でもメニュー設定を介して延長させることも出来るが、メニュー設定を介して設定したオフタイミングは、一律適用なので、表示項目が少ない場合でも長い時間の表示を継続する等、電源パワーの省力化の点では好ましくないことが多い。
【００１５】
そこで、本考案の目的は、検索した項目の表示ボリュームが多い場合に、ユーザがケースバイケースで、オートパワーオフ機能によって設定されている時間以上の表示時間を容易に確保できるように点にある。
【課題を解決するための手段】
【００１６】
前記目的を達成するため、本考案に係る電子辞書装置は、キャラクタの入力を受け付ける入力キー部と、単語の意味内容を格納したデータ格納部と、前記入力キー部から入力された検索キャラクタ列に基づき、前記データ格納部からデータを呼び出すデータ検索部と、当該データ検索部を介して検索したメニュー項目、および選択したメニュー項目のデータ内容を表示モニタ部に対して出力する表示駆動部と、前記入力キーの操作が一定時間ないときに、前記表示駆動部への給電を遮断する給電遮断部とを備える電子辞書装置を技術的前提として、前記給電遮断部を介した回路オフ動作があった後も、前記表示駆動部への給電を一定時間継続させる給電継続部を設け、適宜箇所に設けた延長ボタンスイッチを介して当該給電継続部を駆動制御する（請求項１）。
【００１７】
本考案に係る電子辞書装置は、給電遮断部を介した回路オフ動作後も、表示駆動部への給電を一定時間継続させる給電継続部と、この給電継続部を駆動制御する延長ボタンスイッチを備えるので、ユーザが延長ボタンスイッチを押圧操作したときは、給電遮断部による電源遮断後も、表示時間を延長させることが出来る。このため、ユーザは、表示モニタ部に表示されている項目内容（テキスト／図／写真等）を、時間をかけて読み、あるいは書き写す等、表示時間の余裕をもつ。
【００１８】
メニュー設定の変更によって表示時間を長くするのと異なり、延長ボタンスイッチの押圧操作で表示時間を長くすることが出来るから、通常の場合（延長させなくても良い場合）は、従前通り、給電遮断部を介した電源遮断により電池の無用な消耗を避けることが出来る。
【００１９】
延長ボタンスイッチは、押圧操作の度に延長時間の開始タイミングを初期化する場合がある（請求項２）。
【００２０】
延長ボタンスイッチの押圧操作と表示時間の延長制御の関係は、大別すると二通りの方法がある。ひとつは、延長ボタンスイッチの押圧操作がある度に、給電継続部におけるタイマカウントをゼロにリセットして、その都度、給電継続部における時間計測の開始タイミングをゼロにして最初からやり直す方式である。もうひとつの方法は、延長ボタンスイッチの押圧操作がある度に、押圧回数だけ延長時間を積算する方式である。
【００２１】
いずれの方式も利点があるが、延長ボタンスイッチの押圧操作がある度に、給電継続部におけるタイマカウントをゼロにリセットする方式（請求項２記載の方式）が好ましい。装置構成を単純化できるからである。
【００２２】
延長ボタンスイッチを介した給電継続部の駆動制御時間は、入力キー部を介したメニュー操作によって増減変更可能とする場合がある（請求項３）。
【００２３】
一回の延長ボタン操作によって延長させるべき時間は、使い始めの頃は決定できない。使用するうちに、ユーザが好ましい時間を体得し、自分に合う延長時間を自由に設定出来るようにすれば、延長ボタンスイッチを用いた電子辞書装置の利便性がさらに向上する。
【考案の効果】
【００２４】
本考案に係る電子辞書装置によれば、検索した項目の表示ボリュームが多い場合に、延長ボタンスイッチの操作により、ケースバイケースで、オートパワーオフ機能によって設定されている時間以上の表示時間を確保できる。
【図面の簡単な説明】
【００２５】
【図１】第一の実施形態に係る電子辞書装置を例示するブロック図である。
【図２】第二の実施形態に係る電子辞書装置を例示するブロック図である。
【図３】従来の電子辞書装置を例示するブロック図である。
【考案を実施するための形態】
【００２６】
図１は、本考案に係る電子辞書装置１０の第一の実施形態を示すものである。
【００２７】
この電子辞書装置１０は、キャラクタの入力を受け付ける入力キー部１１と、単語の意味内容を格納したデータ格納部１２と、入力キー部１１から入力された検索キャラクタ列に基づき、データ格納部１２からデータを呼び出すデータ検索部１４とを備える。また、データ検索部１２を介して検索したメニュー項目、および選択したメニュー項目のデータ内容を表示モニタ部１５に対して出力する表示駆動部１６と、入力キー部１１の操作が一定時間ないときに、表示駆動部１６への給電を遮断する給電遮断部１７とを備える。これらの機能手段は、従来の電子辞書装置と同様である。
【００２８】
符号Ｍは、言葉の意味を調べるための機能を搭載させた電子辞書本体である。電子辞書本体Ｍを構成するデータ格納部１２には、例えば、国語辞書、英和辞書、和英辞書、その他の言語辞書、百科事典、その他の各種辞典等を格納しておく。使用する辞書の切り替え等は、例えば、入力キー部１１を介したメニュー項目操作によって行う。
【００２９】
また、電子辞書装置１０は、給電遮断部１７を介した回路オフ動作があった後も、表示駆動部１６への給電を一定時間継続させる給電継続部２１と、当該給電継続部２１を駆動制御する延長ボタンスイッチ２４とを備える。
【００３０】
表示時間を延長させるための延長ボタンスイッチ２４は、適宜位置、例えば、入力キー部１１に配し、押圧操作によって給電遮断部１７を駆動制御する構成とする。入力キー部１１の操作ボタンとは離れた別の場所に設けても構わないが、電子辞書装置をコンパクトに設計するには、延長ボタンスイッチ２４のような押圧スイッチ類は、入力キー部１１に集約させて配置することが望ましい。ただし、他の押圧スイッチ（キャラクタ入力キー）に較べ、スイッチ表面の面積を大きく、または小さく設計しても良い。
【００３１】
給電継続部２１は、この延長ボタンスイッチ２４の押圧操作によって、給電遮断部１７とは無関係に、表示駆動部１６への給電を一定時間継続させる。
【００３２】
この給電継続部２１は、ユーザがモニタの表示内容をゆっくり読んだり書き写したりするときの利便を向上させることを目的とするが、電源パワー（電池）の無用な消耗を避けるため、表示の延長時間は予め設定した一定時間に限っておくことが望ましい。
【００３３】
このため、給電継続部２１も、給電遮断部１７と同様にタイマ装置（図示せず）を介した時間経過のカウント機能をもつ。タイマ装置（図示せず）は、給電継続部２１が独自に備えても良いし、給電遮断部１７と共用してもよい。電子辞書本体Ｍが時刻表示のための時計機能を備えている場合は、当該時計機能を利用して、電源遮断／給電延長のタイミングカウント（時間計測）を行うことが望ましい。
【００３４】
給電継続部２１は、延長ボタンスイッチ２４の押圧操作があったときに、表示駆動部１６への継続的給電を行うが、給電遮断部１７が回路をオフする前に表示駆動部１６に対して二重給電を行うのは電源パワーの節約という観点から好ましくないので、給電遮断部１７の動作タイミングを監視し、給電遮断部１７を介した回路オフ動作の直後／直前から表示駆動部１６への給電を行うことが望ましい。
【００３５】
かかる構成によれば、検索した言葉の意味や内容を表示モニタ部１５に表示させた後、延長ボタンスイッチ２４を押圧操作することにより、給電継続部２１を介して通常の表示時間を超える延長表示を行うことが出来る。
【００３６】
給電継続部２１による延長表示時間は、例えば、給電遮断部１７を介した電源遮断後１８０秒等、適宜設定できる。表示時間が足りない場合は、例えば、再度、延長ボタンスイッチ２４を押圧し、延長表示時間のタイマ装置をリセットして再延長すれば良い。
【００３７】
延長ボタンスイッチ２４を使用しない場合、つまり通常表示の場合は、従来の電子辞書装置と同様、所定時間経過後に給電遮断部１７を介して電源が遮断され表示が消えるから、電源パワー（電池）の無駄な消耗を避けることが出来る。
【００３８】
延長ボタンスイッチ２４の押圧による表示延長操作は、必要に応じて何度でも繰り返して行うことが出来る。
【００３９】
図２は、本考案に係る電子辞書装置１０の第二の実施形態を例示するものである。この電子辞書装置１０は、延長ボタンスイッチ２４を複数、例えば二つ備える。
【００４０】
二つの延長スイッチ部２４−１、２４−２は、給電継続部２１に対する延長指令が異なるように設定する。例えば、延長スイッチ部２４−１は、給電遮断部１７を介した給電回路のオフ後１２０秒、延長スイッチ部２４−２は、給電遮断部１７を介した給電回路のオフ後２４０秒の表示延長コマンドを、給電継続部２１に対して送出する等である。
【００４１】
短めの表示延長機能と、長めの表示延長機能を実行する二種類のスイッチ部（２４−１、２４−２）があれば、無用な電池消耗を回避しつつ、必要に応じた表示延長操作が可能となり、利便性が向上する。
【００４２】
従来の電子辞書装置では、給電遮断部１７を介した給電回路をオフする時間は、入力キー部１１を介したメニュー操作にって増減変更可能できるようになっている。同様に、本考案に係る電子辞書装置１０は、入力キー部１１を介したメニュー操作によって給電遮断部１７を介した給電回路のオフ時間の設定、延長ボタンスイッチ２４を介した給電継続部２１の給電継続時間の設定を、それぞれ増減変更可能としておくことが望ましい。
【符号の説明】
【００４３】
１０  電子辞書装置
１１  入力キー部
１２  データ格納部
１４  データ検索部
１５  表示モニタ部
１６  表示駆動部
１７  給電遮断部
２１  給電継続部
２４  延長ボタンスイッチ
２４−１、２４−２  延長スイッチ部
Ｍ  電子辞書本体
【図１】
0003197375.tif 000003
【図２】
0003197375.tif 000004
【図３】
0003197375.tif 000005